(57)【特許請求の範囲】
【請求項１】
前輪（７）及び後輪（８）を備えた本体（２）と、前記本体に固定した交叉アーム（３）と、前記本体にひも（２０）を固定する締着金具（２４）とを備えた先導ランナー（１）と通常ランナー（１４）の組合せであって、前記本体は前記前輪を有する前半部（１５）と前記後輪を有する後半部（１６）からなり、カーテンレール（１０）内において前記前輪はレール部上面（１１）を、前記後輪は天井部内面（１２）をそれぞれ転動し、前記後半部の下面は前記レール部上面を転動する通常ランナー（１４）の上面よりも高いことを特徴とするカーテン装置の先導ランナーと通常ランナー（１４）の組合せ。
【請求項２】
前記前半部の下部（９）の左右の一側には前記交叉アームが固定ねじを介し、他方には前記締着金具が止めねじ（２５）を介してそれぞれ取り付けられ、前記下部と共に、前記固定ねじと、前記締着金具と、前記止めねじを内包するカバー（４）が前記前半部に脱着自在に取り付けられたことを特徴とする請求項１記載のカーテン装置の先導ランナーと通常ランナー（１４）の組合せ。
【請求項３】
前半部（１５）は中央部にひも穴（２２）を有し、前記カバー（４）は左右のひもカバー部（３０）とアームカバー部（３１）をヒンジ部（２９）を介して開閉可能に連結した形状の合成樹脂成形品であり、前記ひもカバー部と前記アームカバー部の一方の上面にフック部（３３）が他方の上面に前記フック部と係合するフック穴部（３４）がそれぞれ一体に形成され、前記カバーは前記ヒンジ部（２９）を前記下部の下縁に沿わせ、前記ひもカバー部を前記締着金具側に、前記アームカバー部を前記交叉アーム側にして閉じると、前記フック部と前記フック穴部が前記ひも穴（２２）を通して結合して前記前半部に固定することを特徴とする請求項２記載のカーテン装置の先導ランナーと通常ランナー（１４）の組合せ。
【発明の詳細な説明】
【０００１】
【発明の属する技術分野】
本発明は、手動又は電動でカーテンのひもを引いてカーテンを開閉するカーテン装置の先導ランナーに関する。
【０００２】
【従来の技術】
先導ランナーは両側のカーテンを中央で少し交差させるため、交叉ランナーとも呼ばれる。
図８に示すように、従来の先導ランナー３７は、本体３８と、ひもを掛け止めするために本体３８にねじ止めした金具４２と、カーテンを交差させるために本体に固定した交叉アーム３とからなり、本体に設けた前後輪３９、４０はカーテンレール１０のレール部上面１１を走行する。突出する交叉アーム３を有する先導ランナー３７を安定走行させるため、本体３８はカーテンレール長手方向に延長する形状であり、カーテンのひだピッチに合わせるため、本体３８にも１つ以上のフック掛け孔４１を設ける。
【０００３】
【発明が解決しようとする課題】
従来の先導ランナーには次のような問題があった。
１．本体が左右に長いため、カーテンを開いたときのカーテンたまり幅が大きい。
２．先導ランナーに掛け止めしたひもの体裁が必ずしも良くない。
３．交叉アームの固定ねじが露出して見苦しい。
４．ひだピッチの小さいカーテンに対応するために、交叉アームや本体にフック掛け孔をあけると、交叉アームや本体の強度が低下する。
５．アーム部のひだピッチが固定されるため、カーテン閉時の意匠性が悪い。
【０００４】
本発明はこれらの問題を解決するためになされたものであり、その課題は、カーテンを開いたときのカーテンたまり幅が小さく、掛け止めしたひもや固定ねじが露出せず、交叉アームや本体にフック掛け孔をあけなくても、意匠性の良好なひだピッチの小さいカーテンに対応することができる先導ランナーを提供することにある。
【０００５】
【課題を解決するための手段】
前記課題を達成するため、本発明が採用する第１の手段は、カーテンレール内において、先導ランナーの前側を交叉アーム突出側としたとき、先導ランナー本体前半部にカーテンレールのレール部上面を転動する前輪を、本体後半部にカーテンレールの天井内面を転動する後輪をそれぞれ設け、本体後半部の下面を通常ランナーの上面よりも高くしたことにある。
【０００６】
この第１の手段により、先導ランナーの次の通常ランナーは本体の後半部の下に入り込んで本体の前半部の直後に位置するから、カーテンを開いたときには、カーテンたまり幅が本体の略半長だけ短縮する。また、カーテンを閉じたときには、カーテンひだピッチの大小に関係なく良好な意匠性が得られる。カーテンの重さは、先導ランナーの前端から突出する交叉アームの先端にかかるから、前輪はカーテンレールのレール部上面に、後輪はカーテンレールの天井部内面にそれぞれ接する。前後輪間隔は比較的長いから、先導ランナーは安定走行する。
【０００７】
第２の手段は、本体前半部のカーテンレールから露出する下部の左右の一方に交叉アームを固定ねじにより、他方にひもの締着金具を止めねじによりそれぞれ取り付け、前半部に下部と共に固定ねじと締着金具と、止めねじを内包するカバーを脱着可能に取り付けたことにある。
この第２の手段により、掛け止めしたひももその締着金具も外から見えないから、ひもを体裁よく掛け止めする必要はなくなり、又、交叉アームの固定ねじも見えないから、外観が良好になる。さらに、ひもの締着金具や交叉アームの固定ねじが誤ってゆるめられるおそれもなくなる。
【０００８】
カバーは不透明な合成樹脂製としてスーツケース状に開き、弾性的にワンタッチで閉じるようにすることが望ましい。
【０００９】
【発明の実施の形態】
本発明を図面に示す実施例に基づいて説明する。
図１及び図２は、カーテンレール１０に取り付けた実施例の先導ランナー１の側面図及び前面図である。ただし、ひもは見やすくするために省略している。先導ランナー１は合成樹脂製の本体２と、その本体に固定された金属製の交叉アーム３と、同じく本体２に金属製の車軸５、６を介して回転自在に取り付けられた前輪７及び後輪８と、カーテンレール１０から垂下する本体下部９を覆う合成樹脂製のカバー４とからなる。本体２の前半部１５と後半部１６の上面は共にカーテンレール１０の天井部内面１２に近接する。前半部１５は下部９がカーテンレール１０から垂下するが、後半部１６は上下幅が小さく、その下面は後続の通常ランナー１４の上面よりも高い位置にある。
【００１０】
図外のカーテンフックが交叉アーム３の先端のフック掛け孔１３に掛けられてカーテンの荷重が付加されると、前輪７はカーテンレール１０のレール部上面１１に、後輪８は天井部内面１２に接して荷重とバランスし、この状態で先導ランナー１は走行する。前半部１５の前端部及び後半部１６の後端部には左右に突出するガイド１７、１８を一体に形成し、本体２の左右への傾斜を規制する。
【００１１】
図３及び図４は、カバーを外した先導ランナー１の側面図及び後面図である。
交叉アーム３は固定ねじ１９を介して前半部１５の下部９に固定される。ひも２０は、前半部上部中央のひも穴２１を通って右側面から左側面へ抜け、ついで前半部１５の中央部のひも穴２２から再び右側面へ抜け、前半部１５の下部中央のひも溝２３に掛けられ、締着金具２４と止めねじ２５を介して締め付け固定される。本体２の前半部１５の下部９はカーテンレール１０から突出する。下部９の左右両側面において交叉アーム４より少し上の位置に、前後２本のピン２７、２８を一体に形成する。このピン２７、２８はカバーを取り付けたとき、カバーのピン溝にはまり、カバーの姿勢を安定させる。
【００１２】
図５は図２のＶ−Ｖ線矢視図であり、カバー４の上面を示す。図６は図５のＶＩ−ＶＩ線矢視図でありカバー４の断面を示す。図７は開いたカバー４の平面図である。
カバー４は薄肉のヒンジ部２９と、そのヒンジ部２９を介して開閉可能に連結するひもカバー部３０とアームカバー部３１とからなる。ひもカバー部３０の内側には、ひもの両端を掛け止めするひも掛け部３２を一体に形成する。ひもカバー部３０とアームカバー部３１はその内側に本体下部の締着金具と交叉アームを取り付けた側をそれぞれ内包する空間を有する。ひもカバー部３０とアームカバー部３１の上面の一方に本体２のひも穴２２を通るフック部３３を、他方にそのフック部３３を掛けるフック穴部３４を形成する。
【００１３】
カバー４を開き、ヒンジ部２９を本体前半部の下縁に沿わせ、ひもカバー部３０を締着金具側に、アームカバー部３１を交叉アーム側に配置する。ついで、カバー４を閉じ、フック部３３を本体２のひも穴２２に通してフック穴部３４に掛け止めると、ひもカバー部３０とアームカバー部３１は本体２のひも穴２２の両側の部分を左右から挟み、ひもカバー部３０とアームカバー部３１のピン溝３５、３６は本体２のピンにはまるから、カバー４は本体２に固定する。
【００１４】
図１及び図２に示すように、カバー４を本体２に固定すると、図３及び図４に示す固定ネジ１９、ひも２０、ひも溝２３、締着金具２４、止めねじ２５は完全に覆われて外部に露出しないから、外観がすっきりする上に、ねじ等が勝手にゆるめられるおそれもなくなる。カバー４を本体２から外すときは、フック部３３に沿ってマイナスドライバーをひもカバー部３０の下に挿入して持ち上げ、フック穴部３４をフック部３３から外す。次に、アームカバー部３１を開いてカバー４を本体２から外す。
【００１５】
【発明の効果】
上記のとおり、本発明の先導ランナーは、通常ランナーが本体の中央付近まで入り込むことができるから、従来の通常ランナーが本体の後方に位置するものに比べると、カーテンを開いたときのカーテンたまり幅が短縮するだけでなく、先導ランナーの本体に複数のフック掛け孔を設ける必要がなく、そのため、先導ランナーの意匠性がカーテンひだピッチの大小に関わらず良好であるという優れた効果を奏する。
【００１６】
又、本発明のカバーを有する先導ランナーは、カーテンの引きひもの掛け止め部、その締着金具、交叉アームの固定ねじ等を内包して外部から見えなくするから、外観が良好であるだけでなく、誤ってねじ等がゆるめられるおそれもなくなるという格別の効果を奏する。
【図面の簡単な説明】
【図１】本発明実施例の先導ランナーの右側面図、
【図２】実施例の前面図、
【図３】カバーを外した実施例の側面図、ひもの掛け止めを示す。
【図４】カバーを外した実施例の後面図、
【図５】図２のＶ−Ｖ線矢視図、
【図６】図５のＶＩ−ＶＩ線矢視図、
【図７】開いたカバーの平面図、
【図８】従来例の斜視図、
【符号の説明】
１：先導ランナー
２：本体
３：交叉アーム
４：カバー
５、６：車軸
７：前輪
８：後輪
９：下部
１０：カーテンレール
１１：レール部上面
１２：天井部内面
１３：フック掛け孔
１４：通常ランナー
１５：前半部
１６：後半部
１７、１８：ガイド
１９：固定ねじ
２０：ひも
２１、２２：ひも穴
２３：ひも溝
２４：締着金具
２５：止めねじ
２７、２８：ピン
２９：ヒンジ部
３０：ひもカバー部
３１：アームカバー部
３２：ひも掛け部
３３：フック部
３４：フック穴部
３５、３６：ピン溝
３７：先導ランナー
３８：本体
３９：前輪
４０後輪
４１：フック掛け孔
４２：金具
【図１】
0004117592.tif 000002
【図２】
0004117592.tif 000003
【図３】
0004117592.tif 000004
【図４】
0004117592.tif 000005
【図５】
0004117592.tif 000006
【図６】
0004117592.tif 000007
【図７】
0004117592.tif 000008
【図８】
0004117592.tif 000009